(57)【特許請求の範囲】
【請求項１】
測定した生体情報である体温を表示する液晶パネル部材の外縁部分を、開口部の周縁部分において保持するホルダと、
前記ホルダに保持された前記液晶パネル部材を、外側から視認できるようにするための開口部が設けられた筐体と、を備え、
前記ホルダの開口部を形成する側壁面と、前記筐体の開口部を形成する側壁面とは、それぞれ、外側に向かって開口面積が大きくなるように傾斜しており、かつ、それぞれの側壁面により、連続した傾斜面が傾斜角５０〜６０度で形成されており、
前記ホルダの開口部の周縁部分の厚さは、前記液晶パネル部材の厚さ以下であることを特徴とする電子体温計。
【請求項２】
前記液晶パネル部材のうち、前記ホルダの開口部の周縁部分により保持される外縁部分を除く領域に、前記測定した体温を表示することを特徴とする請求項１に記載の電子体温計。
【請求項３】
前記筐体の開口部には、前記液晶パネル部材を保護する保護部材が、前記液晶パネル部材を外部から視認可能な状態により取り付けられており、
前記保護部材は、外側に向かって湾曲した形状を有していることを特徴とする請求項２に記載の電子体温計。
【請求項４】
前記液晶パネル部材は、幅４〜１０ｍｍ、長さ２０〜４０ｍｍであることを特徴とする請求項３に記載の電子体温計。
【請求項５】
前記保護部材と前記筐体の開口部とは、液密になるように２色成形されていることを特徴とする請求項３に記載の電子体温計。
【発明の詳細な説明】
【技術分野】
【０００１】
本発明は、生体情報である体温を測定する電子体温計に関するものである。
【背景技術】
【０００２】
従来より、生体情報を測定し、測定結果を７セグメントの数値で液晶表示する電子機器として、電子体温計、歩数計、パルスオキシメータ、塩分計等が知られている。これらの電子機器は、全体として小型・軽量化が進められており、液晶表示部の大きさも制限されているが、視認性の観点からいうと、液晶表示部は、筐体の範囲内で極力大きく設計されることが望ましい。
【発明の概要】
【発明が解決しようとする課題】
【０００３】
しかしながら、上記電子機器において従来の液晶表示部は、筐体の大きさに対して開口部が十分な大きさを有しているとはいえず（つまり、液晶パネルの大きさを最大限に生かしているとはいえず）、実際に文字等が表示される領域（以下、「表示有効領域」と称す）が小さくなってしまっているという問題があった。更に、開口部の端部付近に表示された文字等は、開口部の正面方向からは視認可能であるが、開口部に対して斜め方向から見た場合には視認しにくく、視認可能な範囲（以下、「視認可能範囲」と称す）も狭くなっているという問題もあった。以下、これらの問題について図７及び図８を用いて、簡単に説明する。
【０００４】
図７は、生体情報を測定し測定結果を７セグメントの数値で液晶表示する電子機器の一例である、従来の電子体温計７００の外観構成を示す図である。図７において、７０１は筐体を、７０２は液晶表示部を、７０３はエンドキャップを、７０４は電源スイッチをそれぞれ示している。また、図８は、図７の液晶表示部７０２のＡ−Ａ断面を示す模式図である。
【０００５】
図８に示すように、液晶表示部７０２は、液晶パネル８０２を固定するためのホルダ８０１が、その開口部の周縁部分において、液晶パネル８０２の外縁部分を保持しており、更に、内部部材であるホルダ８０１が外部から見えないようにするために、筐体７０１の開口部（保護部材８０３がはめ込まれた部分）の周縁部分が、ホルダ８０１の開口部の外縁部分よりも内側にくるように構成されている。
【０００６】
このため、従来の電子体温計７００の場合、表示有効領域は矢印８１１に示す範囲にとどまり、液晶パネル８０２に対して、必要以上に表示有効領域が小さくなっていた。また、視認可能範囲も矢印８１２に示す範囲となっており、斜め方向から視認した場合には、筐体７０１の開口部の周縁部分に表示された文字等が視認しにくいという問題があった。
【０００７】
このため表示有効領域を大きくし、表示する文字の大きさを大きくするとともに、視認可能範囲を拡大することで、より見やすい液晶表示部を実現することが望まれている。
【０００８】
本発明は上記課題に鑑みてなされたものであり、生体情報を測定し、測定結果を液晶表示部に表示する電子機器において、より見やすい液晶表示部を実現することを目的とする。
【課題を解決するための手段】
【０００９】
上記の目的を達成するために本発明に係る電子体温計は以下のような構成を備える。即ち、
測定した生体情報である体温を表示する液晶パネル部材の外縁部分を、開口部の周縁部分において保持するホルダと、
前記ホルダに保持された前記液晶パネル部材を、外側から視認できるようにするための開口部が設けられた筐体と、を備え、
前記ホルダの開口部を形成する側壁面と、前記筐体の開口部を形成する側壁面とは、それぞれ、外側に向かって開口面積が大きくなるように傾斜しており、かつ、それぞれの側壁面により、連続した傾斜面が傾斜角５０〜６０度で形成されており、
前記ホルダの開口部の周縁部分の厚さは、前記液晶パネル部材の厚さ以下であることを特徴とする。
【００１０】
また、前記液晶パネル部材のうち、前記ホルダの開口部の周縁部分により保持される外縁部分を除く領域に、前記測定した生体情報を表示することを特徴とする。
【００１１】
また、前記筐体の開口部には、前記液晶パネル部材を保護する保護部材が、前記液晶パネル部材を外部から視認可能な状態により取り付けられており、前記保護部材は、外側に向かって湾曲した形状を有していることを特徴とする。
【００１２】
また、前記液晶パネル部材は、幅４〜１５ｍｍ、長さ２０〜４０ｍｍであることを特徴とする。
【００１３】
また、前記保護部材と前記筐体の開口部は、液密になるように２色成形されていることを特徴とする。
【発明の効果】
【００１５】
本発明によれば、電子体温計において、生体情報を測定し、測定結果を液晶表示部に表示する電子機器において、より見やすい液晶表示部を実現することが可能となる。
【図面の簡単な説明】
【００１６】
【図１】本発明の一実施形態に係る電子体温計１００の外観構成を示す図である。
【図２】電子体温計１００の分解斜視図である。
【図３】電子体温計１００のホルダの分解斜視図である。
【図４】電子体温計１００の液晶表示部の表示有効領域と視認可能範囲を説明するための図である。
【図５】電子体温計１００液晶表示部の表示有効領域と視認可能範囲を説明するための図である。
【図６】本発明の他の実施形態に係る電子機器の外観構成を示す図である。
【図７】従来の電子体温計７００の外観構成を示す図である。
【図８】電子体温計７００の液晶表示部の文字表示領域と視認可能範囲を説明するための図である。
【発明を実施するための形態】
【００１７】
以下、必要に応じて添付図面を参照しながら本発明の各実施形態の詳細を説明する。なお、本発明は以下の実施形態に限定されるものではなく、適宜変更可能であるものとする。
【００１８】
また、以下の各実施形態では、電子機器の一例として、主に電子体温計について説明するが、本発明に係る電子機器は、電子体温計に限定されるものではない。
【００１９】
［第１の実施形態］
＜１．電子体温計の外観構成＞
図１は、本発明の一実施形態に係る電子体温計１００の外観構成を示す図である。図１において、１０１は幅１３〜１８ｍｍ，長さ１３０〜１４０ｍｍ，厚さ１０〜１５ｍｍ，重さ１２〜１５ｇの電子体温計１００の本体ハウジング（筐体１０１）であり、１０２は電子体温計１００の尾部ハウジング（筐体１０２）である。筐体１０２は、筐体１０１に対して、着脱可能に取り付けられている。
【００２０】
なお、筐体１０１は、耐衝撃性の熱可塑性樹脂、例えば、ブチレン・スチレン樹脂により形成されている。また、筐体１０２は、耐衝撃性の熱可塑性樹脂、例えば、ハイインパクトスチロール樹脂により形成されている。なお、筐体１０１を不透明の材質により形成するのは、液晶表示部１０４が強調されるという効果があるからである。
【００２１】
１０３はエンドキャップである。エンドキャップ１０３は、内蔵された温度計測部（サーミスタ）に対して被検者の体温が伝導しやすいように、ステンレスなどの金属により液密に被覆されている。１０４は体温測定結果として被検者の体温等を表示する液晶表示部である。
【００２２】
＜２．電子体温計の内部構成＞
図２は、電子体温計１００の内部構成を説明するための分解斜視図である。図２において、２００はホルダである。ホルダ２００は、温度計測部により計測された温度に基づいて、被検者の体温を算出する回路基板が搭載される回路基板搭載領域２０１と、算出された体温を表示する液晶パネル部材が搭載される液晶パネル部材搭載領域２０２と、回路基板や液晶パネル部材に電源を供給する電池が搭載される電池搭載領域２０３とを備える。
【００２３】
ホルダ２００は、筐体１０１の挿入口２２１より、矢印に沿って挿入され、筐体１０１に取り付けられる。ホルダ２００が筐体１０１に取り付けられた状態では、電池搭載領域２０３は、筐体１０１の外部に露出しており、ユーザによるボタン形電池の電池交換が容易に行えるよう構成されている。
【００２４】
筐体１０２は、ホルダ２００が筐体１０１に取り付けられた状態で、嵌合部２３１が挿入口２２１より矢印に沿って挿入され、筐体１０１に取り付けられる。嵌合部２３１は中空構造となっており、その外壁は、筐体１０１の内壁に嵌め合わされ、その内壁は、ホルダ２００の電池搭載領域２０３を内挿する。
【００２５】
＜３．ホルダの構成＞
図３は、電子体温計１００のホルダ２００の構成を説明するための図であり、電子体温計１００の裏側（液晶表示部１０４が配されている面とは反対側の面）から見た様子を示す図である。
【００２６】
図３において、３０１は、温度計測部により計測された温度に基づいて、被検者の体温を算出する回路基板である。３０２は、算出された体温を表示する液晶パネル部材である。３０３は、回路基板や液晶パネル部材に電源を供給するボタン形電池である。回路基板３０１、液晶パネル部材３０２、２つのボタン形電池３０３は、それぞれ、回路基板搭載領域２０１、液晶パネル部材搭載領域２０２、電池搭載領域２０３に取り付けられる。
【００２７】
なお、ホルダ２００は、例えば、ＰＯＭ（ポリオキシメチレン；polyoxymethylene）、一般的にはポリアセタール、アセタール樹脂（acetal resin）と呼ばれる、主として（-CH2O-）の構造単位からなる結晶性の熱可塑性樹脂により形成されているものとする。
【００２８】
＜４．液晶表示部の断面構成＞
次に液晶表示部１０４の断面構成について説明する。図４は、液晶パネル部材３０２がホルダ２００の液晶パネル部材搭載領域２０２において保持され、かつ、当該ホルダ２００が筐体１０１に取り付けられた状態の、液晶表示部１０４の断面構成（図１の液晶表示部１０４のＡ−Ａ断面；長手方向の断面）を示す図である。
【００２９】
図４に示すように、本実施形態に係る電子体温計１００の液晶表示部１０４は、液晶パネル部材３０２の外縁部分を保持するホルダ２００の液晶パネル部材搭載領域２０２において、その開口部を形成する側壁面４３１が傾斜している点に特徴がある（つまり、ホルダ２００の液晶パネル部材搭載領域２０２の開口部の開口面積が外側に向かって大きくなっている点に特徴がある）。
【００３０】
また、筐体１０１の開口部（保護部材４０１が嵌め込まれた部分）を形成する側壁面４２１が傾斜している点に特徴がある（つまり、筐体１０１の開口部の開口面積が外側に向かって大きくなっている点に特徴がある）。
【００３１】
更に、液晶パネル部材３０２においてその外縁部分を保持するホルダ２００の液晶パネル部材搭載領域２０２の開口部を形成する側壁面４３１と、筐体１０１の開口部の側壁面４２１とが、同じ傾斜角（α）で連続した傾斜面（傾斜角α：５０〜６０度）を形成している点に特徴がある。なお、傾斜角（α）は、５０度より小さくても、６０度より大きくても表示有効領域（４１１）を大きく見せることができない。また、開口部の周縁部分の厚さ（Ｔ１）を液晶パネル部材３０２の厚さ（Ｔ）と同等か、より薄くすることで表示有効領域（４１１）をより大きく見せることができる。
【００３２】
なお、本実施形態に係る電子体温計１００において、液晶パネル部材３０２の寸法は、幅（Ｗ）４〜１５ｍｍ、長さ（Ｌ）２０〜４０ｍｍ、厚さ（Ｔ）１．５〜２．０ｍｍであるとする。また、ホルダ２００の液晶パネル部材搭載領域２０２の開口部の寸法は、幅（Ｗ）３．５〜１３．５ｍｍ、長さ（Ｌ）１９〜３９ｍｍであるとする。更に、保護部材４０１は、液晶パネル部材３０２の窓部材として透明の熱可塑性樹脂で形成されており、寸法は、幅（Ｗ）４〜１５ｍｍ、長さ（Ｌ）２０〜４０ｍｍであるとする。なお、筐体１０１と保護部材４０１とははめ込みではなく、２色成形により形成されており、これにより、電子体温計１００の液密性が保たれる。
【００３３】
上述のような形状を有することにより、液晶パネル部材３０２の外縁部分を保持するホルダ２００の開口部の周縁部分が、保護部材４０１の周縁部分によって覆われていなくとも、内部部材であるホルダ２００が露出していることに対するユーザの違和感を低減させることができる。
【００３４】
この結果、従来の電子体温計と比べて、表示有効領域（４１１）を大きく見せることが可能となった（従来の電子体温計７００の場合、ホルダ８０１の開口部の周縁部分よりも、筐体７０１の開口部の周縁部分が内側に配置されていたため、表示有効領域（８１１）は、ホルダ８０１の開口部よりも、小さくなっていたのに対して、本実施形態に係る電子体温計１００の場合、表示有効領域は、ホルダ２００の開口部と、同じ領域にすることができる）。
【００３５】
更に、上述のような形状を有することで、視認可能範囲４１２を拡大させることが可能となり、斜め方向から視認した場合であっても、筐体６０１の開口部の外縁部分に表示された文字等を容易に視認することが可能となる。
【００３６】
以上の説明から明らかなように、本実施形態では、液晶パネル部材３０２の外縁部分を保持するホルダ２００においてその開口部を形成する側壁面と、筐体１０１の開口部を形成する側壁面とを、それぞれ、傾斜させるとともに、ホルダ２００を筐体１０１に取り付けた際の両者の側壁面が、同一の傾斜面を形成するよう構成した。
【００３７】
これにより、表示有効領域を大きくとることができ、表示する文字の大きさをより大きくすることが可能になるとともに、視認可能範囲が拡大し、より見やすい液晶表示部を実現することが可能となった。
【００３８】
なお、上記説明ではＡ−Ａ断面の形状についてのみ説明したが、Ｂ−Ｂ断面を、上記Ａ−Ａ断面と同様の形状としてもよい。Ａ−Ａ断面とＢ−Ｂ断面の両方を上記形状とすることで、液晶パネル部材３０２の幅方向、長手方向の両方の視認可能範囲が拡大するので、より見やすい液晶表示部を実現することが可能となる。
【００３９】
［第２の実施形態］
上記第１の実施形態では、筐体１０１の開口部にはめ込まれる保護部材の形状が平面である場合について説明したが、本発明はこれに限定されず、当該保護部材は、例えば、湾曲形状を有していてもよい。
【００４０】
図５は、液晶パネル部材３０２がホルダ２００の液晶パネル部材搭載領域２０２において保持され、かつ、当該ホルダ２００が筐体１０１に取り付けられた状態の、液晶表示部１０４の断面構成（図１の液晶表示部１０４のＡ−Ａ断面）を示す図である。
【００４１】
図４との相違点は、保護部材５０１が、外側に向かって湾曲した形状となっている点であり、寸法その他には変更点はない。このように、筐体１０１の開口部にはめ込まれる保護部材の形状を湾曲形状とすることで、液晶表示部１０４を斜めから見た場合であっても、保護部材５０１における光の反射を抑えることが可能となるとともに、平面形状の場合と比べて、液晶表示部１０４の大きさがより大きく感じられるという付帯的な効果も得られる。
【００４２】
なお、本実施形態においてもＢ−Ｂ断面を、上記Ａ−Ａ断面と同様の形状とするようにしてもよい。Ａ−Ａ断面とＢ−Ｂ断面の両方を上記形状とすることで、液晶パネル部材３０２の幅方向、長手方向の両方の視認可能範囲が拡大するので、より見やすい液晶表示部を実現することが可能となる。
【００４３】
また、上記第１の実施形態では、ホルダ２００の色について特に言及しなかったが、内部部材であるホルダ２００が露出していることに対するユーザの違和感をより低減させるためには、例えば、液晶パネル部材３０２の色と類似した色であることが望ましい。
【００４４】
［第３の実施形態］
上記第１及び第２の実施形態では、電子機器の一例として電子体温計について説明したが、本発明の電子機器は、電子体温計に限定されるものではなく、他の生体情報を測定する機器であってもよい。
【００４５】
図６は、電子機器の他の実施形態を示すものであり、その表示部の断面構成は、図４または図５と同様であるとする。
【００４６】
図６（ａ）は、パルスオキシメータを、図６（ｂ）は歩数計を、図６（ｃ）は塩分計を、図６（ｄ）は、高機能女性体温計をそれぞれ示している。
【００４７】
図６（ａ）に示すように、パルスオキシメータは、筐体６０１、液晶表示部６０４、制御部（不図示）を備え、測定された遠赤外線に基づいて演算された血中の酸素飽和度を脈拍数と併せて、または脈拍数と交互に液晶表示部６０４に表示する。
【００４８】
また、図６（ｂ）に示すように、歩数計は、筐体６１１、液晶表示部６１４、制御部（不図示）を備え、３次元加速度センサ（不図示）により測定された歩数を、脈拍数、消費カロリ、歩行距離等と併せて、または交互に液晶表示部６１４に表示する。
【００４９】
また、図６（ｃ）に示すように、塩分計は、筐体６２１、液晶表示部６２４、制御部（不図示）を備え、センサ６２５で検出・演算された塩分濃度を液晶表示部６２４に表示する。
【００５０】
更に、図６（ｄ）に示すように、高機能女性体温計は、筐体６３１、液晶表示部６３４、制御部（不図示）を備え、サーミスタが内蔵された測温部６３５で測定・演算された体温値を、日時と併せて液晶表示部６３４に表示する。
【符号の説明】
【００５１】
１００・・・電子体温計、１０１・・・筐体、１０２・・・筐体、１０３・・・エンドキャップ、１０４・・・液晶表示部、２００・・・ホルダ、２０１・・・回路基板搭載領域、２０２・・・液晶パネル部材搭載領域、２０３・・・電池搭載領域、２２１・・・挿入口、２３１・・・嵌合部、３０１・・・回路基板、３０２・・・液晶パネル部材、３０３・・・ボタン形電池、４０１・・・保護部材、４１１・・・表示有効領域、４１２・・・視認可能範囲、４２１・・・側壁面、４３１・・・側壁面、５０１・・・保護部材、７００・・・従来の電子体温計、７０１・・・筐体、７０２・・・液晶表示部、７０３・・・エンドキャップ、７０４・・・電源スイッチ、８０１・・・ホルダ、８０２・・・液晶パネル部材、８０３・・・保護部材、８１１・・・表示有効範囲、８１２・・視認可能範囲
【図１】
0005497554.tif 000002
【図２】
0005497554.tif 000003
【図３】
0005497554.tif 000004
【図６】
0005497554.tif 000005
【図７】
0005497554.tif 000006
【図４】
0005497554.tif 000007
【図５】
0005497554.tif 000008
【図８】
0005497554.tif 000009